(57)【要約】      （修正有）【課題】 小型化と同時にクロストークを最小化した両方向光トリプレクサを提供する。【解決手段】  両方向光トリプレクサ２００は、外部光導波路２１０と連結された第１の光経路２２１と、第１の光経路２２１に進行する第１光信号を第２の光経路２２２に反射させる第１のフィルター２３０と、第１の光経路２２１に進行する第２光信号を第３の光経路２２３に反射させる第２のフィルター２４０と、第２の光経路２２２に進行する第１光信号を検出する第１の光受信機と、第３の光経路２２３に進行する第２光信号を検出する第２の光受信機２６０と、第１の光経路２２１に第３光信号を出力する光送信機２７０を含む。第１及び第２の光受信機２５０，２６０は、第１及び第２のフィルター２３０，２４０の一側に配置され、光送信機２７０は第１及び第２のフィルター２３０，２４０の他側に配置される。【選択図】  図２
2005165293.tif 000002
【特許請求の範囲】
【請求項１】
外部の光導波路と光学的に連結された第１の光経路上に相互に離隔して配置された第１及び第２のトレンチらを有するプラットフォームと、
前記第１のトレンチに配置され、前記第１の光経路を進行する第１の光信号を第２の光経路に反射させるように設けられた第１のフィルターと、
前記第２のトレンチに配置され、前記第１の光経路を進行する第２の光信号を第３の光経路に反射させるように設けられた第２のフィルターと、
前記第２の光経路に進行する第１の光信号を検出するように配置された第１の光受信機と、
前記第３の光経路に進行する第２の光信号を検出するように配置された第２の光受信機と、
第３の光信号を前記第１の光経路に出力するように配置された光送信機と、を含み、
前記第１及び第２の光受信機は前記第１及び第２のトレンチらの一側に配置され、前記光送信機は前記第１及び第２のトレンチの他側に配置されること
を特徴とする両方向光トリプレクサ。
【請求項２】
前記第１のフィルターは、前記第１の光経路を進行する前記第１の光信号を前記第２の光経路に反射させて残りの波長帯域の光信号を透過させ、
前記第２のフィルターは、前記第１の光経路を進行する前記第３の光信号を透過させて、残りの波長帯域の光信号らを前記第３の光経路に反射させること
を特徴とする請求項１に記載の両方向光トリプレクサ。
【請求項３】
前記第１のトレンチに配置され、前記第３の光経路を進行する前記第１の光信号を反射させるように設けられた第３のフィルターをさらに含むこと
を特徴とする請求項１に記載の両方向光トリプレクサ。
【請求項４】
前記第１のトレンチは、前記第３の光経路を横切るように延長されること
を特徴とする請求項３に記載の両方向光トリプレクサ。
【請求項５】
前記第１のフィルターは、前記第１の光経路を進行する前記第１の光信号を前記第２の光経路に反射させて残りの波長帯域の光信号らを透過させ、
前記第２のフィルターは、前記第１の光経路を進行する前記第２の光信号を前記第３の光経路に反射させて残りの波長帯域の光信号らを透過させること
を特徴とする請求項１に記載の両方向光トリプレクサ。
【請求項６】
前記第１のトレンチ及び第１のフィルターは、前記第３の光経路を横切るように延長されて、
前記第１のフィルターの第１の部位は、前記第１の光経路に進行する第１の光信号を反射させて残りの波長帯域の光信号らを透過させて、前記第１のフィルターの第２の部位は、前記第１のフィルターの第１の部分を透過して前記第２のフィルターによって反射した前記第１の光信号を反射させること
を特徴とする請求項１に記載の両方向光トリプレクサ。
【請求項７】
外部の光導波路と光学的に連結された第１の光経路上に相互に実質的に平行に整列された第１及び第２のトレンチらを有するプラットフォームと、
前記第１のトレンチに配置され、前記第１の光経路を進行する第１の光信号を第２の光経路に反射させるように設けられた第１のフィルターと、
前記第２のトレンチに配置され、前記第１の光経路を進行する第２の光信号を第３の光経路に反射させるように設けられた第２のフィルターと、
前記第２の光経路を進行する第１の光信号を検出するように配置された第１の光受信機と、
前記第３の光経路を進行する第２の光信号を検出するように配置された第２の光受信機と、
前記第１の光経路に第３の光信号を出力するように配置された光送信機を含み、
前記第１及び第２のトレンチらは、前記第１及び第２の光受信機らの内の少なくとも一つと前記光送信機との間に整列されること
を特徴とする両方向光トリプレクサ。
【請求項８】
前記第１のフィルターは、前記第１の光経路を進行する前記第１の光信号を前記第２の光経路に反射させて残りの波長帯域の光信号らを透過させ、
前記第２のフィルターは、前記第１の光経路を進行する前記第３の光信号を透過させて、残りの波長帯域の光信号らを前記第３の光経路に反射させること
を特徴とする請求項７に記載の両方向光トリプレクサ。
【請求項９】
前記第１のトレンチに配置されて、前記第３の光経路を進行する前記第１の光信号を反射させるように設けられた第３のフィルターをさらに含むこと
を特徴とする請求項７に記載の両方向光トリプレクサ。
【請求項１０】
前記第１のトレンチは、前記第３の光経路を横切るように延長されること
を特徴とする請求項９に記載の両方向光トリプレクサ。
【請求項１１】
前記第１のフィルターは、前記第１の光経路を進行する前記第１の光信号を前記第２の光経路に反射させて残りの波長帯域の光信号らを透過させ、
前記第２のフィルターは、前記第１の光経路を進行する前記第２の光信号を前記第３の光経路に反射させて残りの波長帯域の光信号らを透過させること
を特徴とする請求項７に記載の両方向光トリプレクサ。
【請求項１２】
前記第１のトレンチ及び第１のフィルターは、前記第３の光経路を横切るように延長されて、
前記第１のフィルターの第１の部位は、前記第１の光経路を進行する第１の光信号を反射させて残りの波長帯域の光信号らを透過させて、前記第１のフィルターの第２の部位は、前記第１のフィルターの第１の部位を透過して前記第２のフィルターにより反射した前記第１の光信号を反射させること
を特徴とする請求項７に記載の両方向光トリプレクサ。
【発明の詳細な説明】
【技術分野】
【０００１】
本発明は、ＦＴＴｘ(fiber to the x、x=Premises、Home、Businessなど)に関し、特に、このＦＴＴｘに適用される両方向光トリプレクサに関する。
【背景技術】
【０００２】
ＦＴＴＨは、"fiber to the home"の略語であり、ＨがＰになれば"fiber to the premises"を意味する。"ＦＴＴｘ"の最後の字によって意味が少しずつ異なるが、光通信網の終端まで光ファイバを使用してデータを伝送する技術的な原理は同じである。ＦＴＴＨのシステムは、近年増加しているインターネットデータと放送及び通信の融合や、データ，ビデオ，及び音声(voice)情報の統合(これはトリプルプレー(triple play)と呼ばれる。)等のために適用されるものと予想される。そして、研究機関らは、これを早期に実現しようとする研究を活発に行っている。
【０００３】
両方向光トリプレクサは、三つの波長の入出力信号らを処理する。加入者端末に属するＯＮＴ(optical network terminal)の場合は、入力信号として１４９０ｎｍ波長のデジタルデータ信号(digital data signal)と１５５０ｎｍ波長のアナログビデオ信号(analogue video signal)とを処理し、出力信号として１３１０ｎｍ波長のデータ信号を処理する。この出力信号は、ＯＮＴからＯＬＴ(optical line terminal)に送信されるデータ信号である。
【０００４】
図１は典型的な両方向光トリプレクサ(bi-directional optical triplexer)の構成を示す図である。この光トリプレクサ１００は、プラットフォーム(platform) １２０と、第１及び第２のフィルター(filter：ＦＴ)１３０，１４０と、第１及び第２のＰＤ−ＴＩＡモジュール(photodiode-trans impedance amplifier:ＰＤ−ＴＩＡ)１５０，１６０と、レーザーダイオード(laser diode:ＬＤ)１７０と、モニタリングフォトダイオード(monitoring ＰＤ:ＭＰＤ)１８０と、を含む。
【０００５】
プラットフォーム１２０は、外部の光導波路１１０と光学的に連結される光経路１２５を備えている。そして、第１のフィルター１３０と、第２のフィルター１４０と、レーザーダイオード１７０とは、この光経路１２５上にそれぞれ離隔するように配置される。
【０００６】
第１のフィルター１３０は、光経路１２５上を進行する１５５０ｎｍ波長のアナログビデオ信号である第１の光信号１９０を反射させて、残りの波長帯域の光を透過させるように、すなわち１４９０ｎｍ波長のデジタルデータ信号である第２の光信号１９５と１３１０ｎｍ波長のデジタルデータ信号である第３の光信号１７５とを透過させるように構成される。
【０００７】
第２のフィルター１４０は、光経路１２５上を進行する第３の光信号１７５を透過させて、残りの波長帯域の光を反射させるように、即ち、第２の光信号１９５を反射させるように構成される。
【０００８】
レーザーダイオード１７０は、第３の光信号１７５を出力する。そして、モニタリングフォトダイオード１８０は、レーザーダイオード１７０のこの光出力を監視する。
【０００９】
このような構成の両方向光トリプレクサでは、外部の光導波路１１０から内部の光経路１２５に入力された第１及び第２の光信号ら１９０，１９５のうちの第１の光信号１９０は、第１のフィルター１３０によって反射され、この反射された第１の光信号１９０が第１のＰＤ−ＴＩＡモジュール１５０によって検出される。第１のフィルター１３０を透過して第２のフィルター１４０に入力された第２の光信号１９５は、この第２のフィルター１４０によって反射され、この反射された第２の光信号１９５が第２のＰＤ−ＴＩＡモジュール１６０によって検出される。レーザーダイオード１７０から出力された第３の光信号１７５は、第２のフィルター１４０及び第１のフィルター１３０を順に透過して、外部の光導波路１１０に出力される。
【００１０】
しかしながら、上述したような光トリプレクサ１００は、必要とされる素子が多いために、当該構成素子らが集積されるプラットフォーム１２０のサイズが大きくなる、という問題点がある。この点に関し、プラットフォーム１２０の大きさを縮小するために、第１又は第２のＰＤ−ＴＩＡモジュール１５０，１６０とレーザーダイオード１７０とを近付けた場合には、素子相互間の光学的、電気的なクロストーク(optical & electrical crosstalk)が発生する。そして、この場合には、第１又は第２のＰＤ−ＴＩＡモジュール１５０，１６０に実際に光信号が入力されなくても、光信号が入力されたものとして認識され、システムでの誤動作が発生する。
【００１１】
また、上述したクロストークは、フィルターの製作が完璧でない場合にも発生する。すなわち、１５５０ｎｍ波長の第１の光信号１９０は、第１のフィルター１３０で理想的には全て反射されなければならないが、実際には、その一部(約２０dB程度)が第１のフィルター１３０を通過することができる。この場合には、通過された第１の光信号１９０は、第２のフィルター１４０で反射して第２のＰＤ−ＴＩＡモジュール１６０に入力される。このとき、第２のＰＤ−ＴＩＡモジュール１６０は、実際に１４９０ｎｍ波長の第２の光信号１９５が入力されない場合であっても、あたかも入力されたかのような誤動作を生じるようになる。特に、アナログビデオ信号は、デジタルデータ信号に比べて非常に大きい(data formatによって異なるが１０dB程度大きい)。このような場合、一つのフィルターのみでは信号の分離ができず、１５５０ｎｍ波長のフィルターをさらに一つ使用しなければならない問題が発生する。
【００１２】
したがって、両方向光トリプレクサについては、改善された技術が必要とされている。
【発明の開示】
【発明が解決しようとする課題】
【００１３】
上記背景に鑑みて、本発明の目的は、小型化のためにプラットフォームの大きさを最小化して、素子らの間のクロストークを最小化した両方向光トリプレクサを提供することにある。
【課題を解決するための手段】
【００１４】
上記目的を達成するために、本発明による両方向光トリプレクサは、外部の光導波路と光学的に連結された第１の光経路上に相互に離隔して配置された第１及び第２のトレンチらを有するプラットフォームと、前記第１のトレンチに配置され、前記第１の光経路を進行する第１の光信号を第２の光経路に反射させるように設けられた第１のフィルターと、前記第２のトレンチに配置され、前記第１の光経路を進行する第２の光信号を第３の光経路に反射させるように設けられた第２のフィルターと、前記第２の光経路に進行する第１の光信号を検出するように配置された第１の光受信機と、前記第３の光経路に進行する第２の光信号を検出するように配置された第２の光受信機と、第３の光信号を前記第１の光経路に出力するように配置された光送信機と、を含み、前記第１及び第２の光受信機は前記第１及び第２のトレンチらの一側に配置され、前記光送信機は前記第１及び第２のトレンチの他側に配置される。
【発明の効果】
【００１５】
本発明の両方向光トリプレクサによれば、第１及び第２の光受信機と光送信機との間に第１及び第２のトレンチらを配置することで、プラットフォームの大きさを最小化して素子らの間のクロストークを最小化することができるという利点がある。
【００１６】
また、本発明の両方向光トリプレクサによれば、クロストークとして作用する光信号を多数反射させる構造とすることで、素子ら間のクロストークを最小化することができるという利点がある。さらに、一つのトレンチ内に二つのフィルターらを固定するか、またはバンドパスフィルターを使用するか、または二つの光経路らを横切るように一つのフィルターを配置することで、素子ら間のクロストークを最小化しながらも製造コストの低減が図られる、という利点が得られる。
【発明を実施するための最良の形態】
【００１７】
以下、本発明の好適な実施形態について添付図面を参照して詳細に説明する。下記説明において、本発明の要旨のみを明瞭にするために、公知の機能又は構成についての詳細な説明は省略する。なお、図面中、同一の構成要素及び部分には、可能な限り同一の符号及び番号を共通使用するものとする。
【００１８】
図２は本発明の第１の実施の形態による両方向光トリプレクサを示す図面である。本実施形態の光トリプレクサ２００は、プラットフォーム（platform）２２０と、第１及び第２のフィルター２３０，２４０と、第１及び第２の光受信機(optical receiver：Ｒｘ)２５０，２６０と、光送信機(optical transmitter)２７０と、を含む。この光トリプレクサ２００は、外部の光導波路２１０と接続され、この外部光導波路２１０を介して、１５５０ｎｍ波長のアナログビデオ信号である第１の光信号２８０及び１４９０ｎｍ波長のデジタルデータ信号である第２の光信号２８５を受信し、また、１３１０ｎｍ波長のデジタルデータ信号である第３の光信号２７５を送信する。
【００１９】
プラットフォーム２２０は、外部の光導波路２１０と光学的に連結された第１の光経路２２１と、第１の光経路２２１上に相互に離隔されて配置された第１のトレンチ(trench)２２４及び第２のトレンチ２２５と、第１のトレンチ２２４から延設された第２の光経路２２２と、第２のトレンチ２２５から延設された第３の光経路２２３と、を有する。
【００２０】
プラットフォーム２２０は、通常の半導体チップをダイシング(dicing)して得られた半導体ウェーハを含むことができる。この場合には、第１のトレンチ２２４及び第２のトレンチ２２５は、ウェーハ単位のダイシング(dicing)のために半導体チップ全体の一方向(垂直又は水平)に形成されたダイシングラインら(dicing line)とそれぞれ平行をなすように、形成されることができる。
【００２１】
ここで、プラットフォーム２２０の大きさは、第１及び第２のトレンチら２２４，２２５の間隔に依存するので、この間隔が小さいほど、プラットフォーム２２０を小さくすることが可能となる。これにより、工程収率(yield)が増加し、製作コストの減少化が図られる。しかしながら、この間隔は、製作工程によって制限される。例として、第１及び第２のトレンチら２２４，２２５を安定的に製作するためには、ダイシングソー(dicing saw)の大きさ、位置誤差許容度(positional tolerance)、ソーイングスピード(sawing speed)に依存する最小間隔を考慮しなければならない。
【００２２】
第１のフィルター２３０は、第１のトレンチ２２４に固定される。この第１のフィルター２３０は、第１の光経路２２１を進行する第１の光信号２８０を第２の光経路２２２に反射させて、残りの波長帯域の光、すなわち第２及び第３の光信号２８５，２７５を透過させる。
【００２３】
第２のフィルター２４０は、第２のトレンチ２２５に固定される。この第２のフィルター２４０は、第１の光経路２２１を進行する第３の光信号２７５を透過させて、残りの波長帯域の光、すなわち第２の光信号２８５を第３の光経路２２３に反射させる。第１及び第２のフィルター２３０，２４０は、それぞれガラス基板上に多層薄膜を積層して得られた光学フィルターを含むことができる。
【００２４】
第１の光受信機２５０は、第２の光経路２２２と接続され、該光経路２２２を通って入力される第１の光信号２８０を第１の電気信号に変換する。
【００２５】
第２の光受信機２６０は、第３の光経路２２３と接続され、該光経路２２３を通って入力される第２の光信号２８５を第２の電気信号に変換する。第１及び第２の光受信機２５０，２６０は、フォトダイオード又はＰＤ−ＴＩＡモジュールを含むことができる。
【００２６】
光送信機２７０は、第１の光経路２２１に第３の光信号２７５を出力する。この光送信機２７０は、レーザーダイオード又はＬＤ−ＭＰＤモジュールを含むことができる。
【００２７】
光トリプレクサ２００の大きさ（サイズ）に直接的な影響を及ぼすプラットフォーム２２０の大きさ（サイズ）を最大限減らしながら第１及び第２の光受信機２５０，２６０と光送信機２７０との間のクロストークを最小化するため、第１及び第２の光受信機２５０，２６０は、第１及び第２のトレンチ２２４，２２５の一方の面側に配置されて、光送信機２７０は第１及び第２のトレンチ２２４，２２５の他方の面側に配置される。
【００２８】
この光トリプレクサ２００によれば、光送信機２７０と第１及び第２の光受信機２５０，２６０との間の電気的、光学的クロストーク問題は解決することができるが、第１の光受信機２５０と第２の光受信機２６０との間のクロストークが依然として障害となり得る。
【００２９】
外部の光導波路２１０から第１の光経路２２１に入力された第１及び第２の光信号２８０，２８５のうち第１の光信号２８０は第１のフィルター２３０によって反射され、第１の光受信機２５０は、この反射された第１の光信号２８０を検出する。また、第１のフィルター２３０を透過して第２のフィルター２４０に入力された第２の光信号２８５は第２のフィルター２４０によって反射され、第２の光受信機２６０は、この反射された第２の光信号２８５を検出する。一方、光送信機２７０から出力された第３の光信号２７５は、第２のフィルター２４０及び第１のフィルター２３０を順に透過して、外部光導波路２１０に出力される。
【００３０】
ここで、第１のフィルター２３０は、理想的には第１の光信号２８０を完全に反射しなければならないが、現実的にはその一部が透過され得る。そして、透過された第１の光信号２８０の一部は第２のフィルター２４０によって反射され第３の光経路２２３を進行することになり、この一部の光信号は第２の光受信機２６０にクロストーク現象をもたらすようになる。
【００３１】
このような現象は、光送信機と光受信機間のクロストークの場合のように第１及び第２の光受信機２５０，２６０間の物理的距離が近いがために発生するものではなく、第１の光受信機２５０が検出する第１の光信号２８０と、第２の光受信機２６０が検出する第２の光信号２８５と、の波長差が非常に小さいものであって、第１のフィルター２３０の波長区別能力を充分に発揮しにくくなるために発生するものである。特に、アナログ信号の場合は、デジタル信号と比較してデータフォーマット(data format)によって異なるが、その強度が約１０dB程度大きいために、第２の光受信機２６０のクロストークは、大きな問題となり得る。
【００３２】
以下、上述したクロストークを解決するための種々の方法を、本発明の第２乃至第４の実施形態として説明する。
【００３３】
図３は、本発明の第２の実施の形態による両方向光トリプレクサを示す図である。本実施形態の光トリプレクサ３００は、第１乃至第３の光経路ら３２１〜３２３と第１及び第２のトレンチら３２４，３２５とを有するプラットフォーム３２０と、第１乃至第３のフィルター３３０〜３５０と、第１及び第２の光受信機３６０，３７０と、光送信機３８０と、を含む。この光トリプレクサ３００では、図２に示した構成と比較すると、大きな相違点は第３のフィルター３５０がさらに加えられるという点のみであるため、重複となる説明は省略する。
【００３４】
プラットフォーム３２０は、外部の光導波路３１０と光学的に連結された第１の光経路３２１と、第１の光経路３２１上に相互に離隔して配置された第１及び第２のトレンチ３２４，３２５と、第１のトレンチ３２４から延設された第２の光経路３２２と、第２のトレンチ３２５から延設された第３の光経路３２３と、を有する。ここで、第１のトレンチ３２４が第３の光経路３２３を横切るように延長されることで、第１のトレンチ３２５は、第１の光経路３２１及び第３の光経路３２３上に配置される。
【００３５】
第３のフィルター３５０は、第１のフィルター３３０と一線をなす（図３参照）ように第１のトレンチ３２４に固定される。この第３のフィルター３５０は、第３の光経路３２３を進行する第２の光信号３９５を透過させて、残りの波長帯域の光、すなわち第１のフィルター３３０を透過して第２のフィルター３４０によって反射された第１の光信号３９０を反射させて、第３の光経路３２３から除去する。このような構成とすることで、クロストークとして作用する第１の光信号３９５の一部は、最終的には第２の光受信機３７０に入力されるかも知れないが、既に第１及び第３のフィルターら３３０，３５０で二回反射して減衰された状態であることから、第２の光受信機３７０の動作にはほとんど影響を及ぼさなくなる。本実施形態では、第３のフィルター３５０は第３の光信号３８５に対する制約条件が無いことから、該フィルターの製造上の収率（歩留）及びコストの面で相対的に有利である。また、第３のフィルター３５０の追加的なトレンチの製作工程が必要でないことから、急激な収率の低下も発生しない。
【００３６】
図４は、本発明の第３の実施の形態による両方向光トリプレクサを示す図であり、図５Ａは第２のフィルター４４０の反射特性を示すグラフである。本実施形態の光トリプレクサ４００は、第１乃至第３の光経路ら４２１〜４２３と第１及び第２のトレンチら４２４，４２５とを有するプラットフォーム４２０と、第１及び第２のフィルター４３０，４４０と、第１及び第２の光受信機４５０，４６０と、光送信機４７０と、を含む。この光トリプレクサ４００では、図２に示した構成と比較すると、大きな相違点は反射特性が異なる第２のフィルター４４０が使用されるという点のみであるため、重複となる説明は省略する。
【００３７】
第２のフィルター４４０は、第２のトレンチ４２５内に固定される。この第２のフィルター４４０は、第１の光経路４２１を進行する第２の光信号４８５を反射させて、残りの波長帯域の光、すなわち第１及び第３の光信号４８０，４８５を透過させる。ここで、クロストークをもたらす第１の光信号４８０の一部は、最終的には第２の光受信機４６０に入力されるかも知れないが、既に第１及び第２のフィルターら４３０，４４０で二回反射して減衰された状態であることから、第２の光受信機４６０の動作にはほとんど影響を及ぼさなくなる。
【００３８】
この光トリプレクサ４００においては、追加的なフィルターやトレンチの製造及びフィルターの挿入工程は必要とされず、フィルターの種類だけバンドパスフィルターに変えれば良いため、プラットフォームのみを考えると、最も有利な方法になる。しかしながら、このようなバンドパス(bandpass)フィルターは、特に、第１の光信号４８０と第２の光信号４８５との波長差が小さいことから、製作が比較的難しくなり、加えて、高価な素子であることから、光トリプレクサ４００全体のコストが増加しうる。
【００３９】
第２のフィルター４４０の反射特性は、図５Ｂに示すように、図２に示した第１のフィルター２３０の反射曲線５１０と、第２のフィルター２４０の反射曲線５２０とを組み合わせることにより得ることができる。上述の事項を実現した構成は、以下の本発明の第４の実施の形態で説明することにする。
【００４０】
図６は、本発明の第４の実施の形態による両方向光トリプレクサを示す図である。本実施形態の光トリプレクサ６００は、第１乃至第３の光経路ら６２１〜６２３と第１及び第２のトレンチら６２４，６２５とを有するプラットフォーム６２０と、第１及び第２のフィルター６３０，６４０と、第１及び第２の光受信機６５０，６６０と、光送信機６７０と、を含む。この光トリプレクサ６００については図２に示した構成と類似していることから、重複となる説明は省略する。
【００４１】
プラットフォーム６２０は、外部の光導波路６１０と光学的に連結された第１の光経路６２１と、第１の光経路６２１上に相互に離隔して配置された第１及び第２のトレンチ６２４，６２５と、第１のトレンチ６２４から延設された第２の光経路６２２と、第２のトレンチ６２５から延設された第３の光経路６２３と、を有する。ここで、第１のトレンチ６２４が第３の光経路６２３を横切るように延長されることで、第１のトレンチ６２４は、第１の光経路６２１及び第３の光経路６２３上に配置される。
【００４２】
第１のフィルター６３０は、第１のトレンチ６２４内に固定されており、第１の光経路６２１を進行する第１の光信号６８０を反射させて、残りの波長帯域の光、すなわち第２及び第３の光信号６８５，６７５を透過させる。また、第１のフィルター６３０は、第３の光経路６２３を進行する第１の光信号６８０を反射させて、残りの波長帯域の光、すなわち第２の光信号６８５を透過させる。すなわち、第１のフィルター６３０は、第１の部位である上部を透過して第２のフィルター６４０によって反射された第１の光信号６８０の一部を、第２の部位である下部で反射させて、第３の光経路６２３から除去する。このような構成とすることで、クロストークとして作用する第１の光信号６８０の一部は、最終的には第２の光受信機６６０に入力されるかも知れないが、既に第１のフィルター６３０で二回反射して減衰された状態であることから、第２の光受信機６６０の動作にはほとんど影響を及ぼさなくなる。
【００４３】
この光トリプレクサ６００においては、追加的なフィルターやトレンチの製造及びフィルターの挿入工程が不必要であるので、追加的なコストは発生しない。ただし、第１乃至第３の光経路ら６２１〜６２３が第１のフィルター６３０に対して入射/反射/透過構造で接続されなければならないため、光経路の設計において多少の複雑性が発生し、光経路のサイズに非常に敏感な特性がある。しかしながら、これら光経路については、多項曲線(polynomial curve)設計などを用いることで、容易に実現することができる。
【００４４】
下記表１は、上述した本発明の第２乃至第４の実施の形態と、図１に示した典型例の特性らを比較して示したものである。
【表１】
2005165293.tif 000003
【００４５】
上記<表１>から分かるように、追加的なコスト発生及び収率低下の側面からは、第４の実施形態の方式が最も効果的であることが分かる。
【００４６】
以上、本発明の詳細について具体的な実施形態に基づいて説明してきたが、本発明の範囲を逸脱しない限り、各種の変形が可能なのは明らかである。従って、本発明の範囲は、上記実施形態に限定されるべきでなく、特許請求の範囲及び該範囲と均等なものにより定められるべきである。
【図面の簡単な説明】
【００４７】
【図１】典型的な両方向光トリプレクサの構成を示す図である。
【図２】本発明の第１の実施形態による両方向光トリプレクサを示す図である。
【図３】本発明の第２の実施形態による両方向光トリプレクサを示す図である。
【図４】本発明の第３の実施形態による両方向光トリプレクサを示す図である。
【図５Ａ】図４に示した第２のフィルターの反射特性を示すグラフである。
【図５Ｂ】図４に示した第２のフィルターの反射特性を説明するためのグラフである。
【図６】本発明の第４の実施形態による両方向光トリプレクサを示す図である。
【符号の説明】
【００４８】
２００  両方向光トリプレクサ
２１０  外部光導波路
２２０  プラットフォーム
２２１  第１の光経路
２２２  第２の光経路
２２３  第３の光経路
２２４，２２５  トレンチ
２３０  第１のフィルター
２４０  第２のフィルター
２５０  第１の光受信機
２６０  第２の光受信機
２７０  光送信機
【図１】
2005165293.tif 000004
【図２】
2005165293.tif 000005
【図３】
2005165293.tif 000006
【図４】
2005165293.tif 000007
【図５Ａ】
2005165293.tif 000008
【図５Ｂ】
2005165293.tif 000009
【図６】
2005165293.tif 000010